(57)【要約】【課題】１つまたは複数の照明モジュールが固定されるディスプレイ・パネルからなる、前記照明モジュールを前記ディスプレイ・パネルに固定するための機械式取り付けインターフェイスをさらに備えるディスプレイ素子を提供すること。【解決手段】本発明は、１つまたは複数の照明モジュールが固定されるディスプレイ・パネルからなるディスプレイ素子に関するものであり、前記ディスプレイ素子は、さらに、前記照明モジュールを前記ディスプレイ・パネルに固定するための機械式取り付けインターフェイスを備える。特に、本発明は、ＬＥＤ、ＯＬＥＤ、またはその他の放射モジュール式大規模ディスプレイの迅速な取り付け、保守、および分解を行う交換可能取り付けメカニズムに関するものである。本発明は、さらに、前記ディスプレイ素子で使用するため照明モジュールをディスプレイ・パネルに固定する機械式取り付けインターフェイスに関するものである。【選択図】図３
2006106763.tif 000002
【特許請求の範囲】
【請求項１】
１つまたは複数の照明モジュールが固定されるディスプレイ・パネルからなるディスプレイ素子であって、さらに、前記照明モジュールを前記ディスプレイ・パネルに固定するための機械式取り付けインターフェイスを備えるディスプレイ素子。
【請求項２】
前記ディスプレイ・パネルは、ずらりと並んだスロットを備え、その中に前記照明モジュールを収めることができる請求項１に記載のディスプレイ素子。
【請求項３】
前記機械式取り付けインターフェイスは、前記スロットのエッジの背後にカチリと入れることにより連携できるラッチからなる請求項２に記載のディスプレイ素子。
【請求項４】
前記ラッチは、ちょうつがいで前記照明モジュールの一端に取り付けられており、前記ちょうつがいで取り付けられた端から延びるリムを備える請求項３に記載のディスプレイ素子。
【請求項５】
前記照明モジュールは、前記リムの前に穴を備えており、前記リムに、前記照明モジュールの前側から前記穴を通してアクセスし、それにより前記ラッチのロックを解除できるようになっている請求項４に記載のディスプレイ素子。
【請求項６】
前記機械式取り付けインターフェイスは、前記照明モジュールにちょうつがいで取り付けられ、前記リムと連携する爪を備えるレバーを備える請求項４に記載のディスプレイ素子。
【請求項７】
前記レバーは、前記照明モジュールの一端にちょうつがいで取り付けられ、前記レバーは、前記レバーのちょうつがいで取り付けられたエッジのそれぞれの端に１つずつ、２つの爪を備え、前記レバーを上げたときに、前記爪が前記ラッチの前記リムを持ち上げて、前記照明モジュールのロックを解除するようになっている請求項６に記載のディスプレイ素子。
【請求項８】
前記照明モジュールは、前記レバーの前に穴を備えており、前記レバーは、前記照明モジュールの前側から前記穴を通して手が届くようになっている請求項６に記載のディスプレイ素子。
【請求項９】
前記ラッチは、２つの対応するラッチの前記ちょうつがいで取り付けられた端の間の距離が前記ラッチと連携する前記ディスプレイ・パネル内のスロットの前記２つの対応するエッジの間の距離よりも大きくなるように、前記照明モジュールに向けて内側に曲げられ、前記機械式取り付けインターフェイスは、さらに、前記照明モジュールの裏側から延びる少なくとも１つのスプリングおよび前記照明モジュール上にちょうつがいで取り付けられているレバーを備え、前記ラッチの自由端が前記レバーと連携し、前記ラッチを内向きのちょうつがい位置で保持するようにできる請求項３に記載のディスプレイ素子。
【請求項１０】
前記照明モジュールは、前記スロットのうちの１つに前記照明モジュールを押し込むことにより、前記機械式取り付けインターフェイスで前記ディスプレイ・パネルに固定することができ、それによって、前記ラッチは、前記スロットのエッジの背後でその自由端とカチリとはまり、前記照明モジュールは、その後、前記スプリングの力の方向と反対の方向に前記照明素子を前記スロット内にさらに押し込むことにより外すことができ、それによって、前記スロットの前記エッジは、前記ラッチの前記湾曲と相互作用し、前記ラッチは前記レバーの下の自由端とともに押しのけられる請求項９に記載のディスプレイ素子。
【請求項１１】
前記ディスプレイ・パネルは、裏板からなる請求項１に記載のディスプレイ素子。
【請求項１２】
前記機械式取り付けインターフェイスは、磁力により前記裏板と連携できる要素からなる請求項１１に記載のディスプレイ素子。
【請求項１３】
前記機械式取り付けインターフェイスは、前記照明モジュールと前記裏板の両方に備えられているいわゆる相補的マジックテープ（登録商標）からなる請求項１１に記載のディスプレイ素子。
【請求項１４】
前記機械式取り付けインターフェイスは、前記照明モジュール上の吸着カップからなる請求項１１に記載のディスプレイ素子。
【請求項１５】
前記ディスプレイ・パネルは、Ｕ字型の断面およびスライド・レールの脚の自由両端から突き出ているリムを持つ前記レールからなり、前記リムは互いに向き合っており、前記機械式取り付けインターフェイスは、前記リムと連携できる２つの溝を備える請求項１に記載のディスプレイ素子。
【請求項１６】
少なくとも１つの前記溝の壁の１つは、引き込み式ラッチからなる請求項１５に記載のディスプレイ素子。
【請求項１７】
前記ディスプレイ・パネルは、１本または複数の針金、ケーブル、または棒からなり、前記機械式取り付けインターフェイスは、前記１本または複数の針金、ケーブル、または棒と連携できる取り付け用金具取り付けシステムからなる請求項１に記載のディスプレイ素子。
【請求項１８】
前記ディスプレイ・パネルは、棒からなり、前記機械式取り付けインターフェイスは、前記照明モジュール内に用意されている棒孔からなり、前記棒孔は前記棒の断面形状に対し相補的である形状の断面を持つ請求項１に記載のディスプレイ素子。
【請求項１９】
ボルト固定取り付けシステム、標準はめ込み取り付けシステム、正面アクセスはめ込み取り付けシステム、単一レバー取り付けシステム、正面アクセス単一レバー取り付けシステム、押して閉じ、押して開く取り付けシステム、ピン取り付けシステム、磁石式取り付けシステム、マジックテープ（登録商標）取り付けシステム、吸着カップ取り付けシステム、標準スライド・レール取り付けシステム、レール・マウント取り付けシステム、針金および取り付け用金具取り付けシステム１５００、および棒取り付けシステム１６００を含むグループから選択される請求項１に記載の照明モジュールをディスプレイ・パネルに固定する機械式取り付けインターフェイス。
【発明の詳細な説明】
【技術分野】
【０００１】
本発明は、大規模ディスプレイ・アプリケーションで使用するための照明ディスプレイ・モジュールおよび相補的機械式パネルまたはフレーム用の機械式取り付けインターフェイスに関するものである。特に、本発明は、ＬＥＤ、ＯＬＥＤ、またはその他の放射モジュール式大規模ディスプレイの迅速な取り付け、保守、および分解を行う交換可能取り付けメカニズムに関するものである。
【背景技術】
【０００２】
従来の白熱灯、蛍光灯、およびネオン管は、多くの大規模商用および公共標識の照明として長い間使用されてきた。しかし、市場では、現在、ディスプレイのサイズおよび色をカスタマイズできる柔軟性を持ち、イメージおよびビデオ機能を備え、特に一時的な会場で使用するために設置、保守、および解体が容易な、より安価で、より大型のディスプレイが要求されており、これらは、旧来の技術では不可能な市場スペックである。そのため、多くのディスプレイは、現在、発光ダイオード（ＬＥＤ）、または有機発光ダイオード（ＯＬＥＤ）、または他の放射ディスプレイ技術などの放射照明モジュールを利用している。
【０００３】
放射ディスプレイ・モジュールは、消費電力が少なく、寿命がかなり長く、保守コストも低いため、従来の照明モジュールによりも有利である。したがって、大規模ディスプレイの生産における製造および部品コストを最小にする必要がある。
【０００４】
放射ディスプレイ技術は、現在、屋外または屋内スタジアム・ディスプレイ、大きなマーケティング広告ディスプレイ、および大衆向け広報ディスプレイなどのモジュール式大規模ディスプレイ・アプリケーションに応用されている。しかし、これらの大規模ディスプレイは、必ずしも、取り付けまたは保守の容易さ、迅速さの観点から設計されてはおらず、せいぜい、設計の実施段階の後になってからアクセスの素早さが考慮されることが多い。例えば、使い古された放射照明モジュールを交換するには、多くの場合、ネジ、ナット、ボルト、クリップなど数多くの留め具を取り外す骨の折れる作業を必要とする。そこで、素早く固定する、または取り外すことができる照明モジュールを提供する必要がある。
【０００５】
構成可能な大規模ディスプレイの一実施例は、「Ｓｅｃｔｉｏｎａｌ  ｄｉｓｐｌａｙ  ｓｙｓｔｅｍ」という表題の米国特許第６，３１４，６６９号を参照して説明される。上述の米国特許第６，３１４，６６９号では、モジュール式および他方式の構成要素を素早く交換するための、内部に配置されているモジュール式ディスプレイおよびその他の構成要素への利用しやすいアクセス手段について詳述している。しかし、上述の米国特許第６，３１４，６６９号では、使い古された放射照明モジュールを簡単に交換する手段を実現できない。米国特許第６，３１４，６６９号では、さらに、放射照明モジュールは一様に設計された固定メカニズムであることを要求している。これは、今日の売り込み市場において競争力を維持しようとハードウェアを絶えずアップデートしている企業にとっては問題になる場合がある。そこで、多数の異なる機械インターフェイスを使用してハードウェア・フレームに機械的に固定することができる照明モジュールを提供する必要がある。
【特許文献１】「Ｓｅｃｔｉｏｎａｌ  ｄｉｓｐｌａｙ  ｓｙｓｔｅｍ」という表題の米国特許第６，３１４，６６９号
【発明の開示】
【発明が解決しようとする課題】
【０００６】
したがって、本発明の目的は、大規模ディスプレイの生産における製造および部品コストを最小にすることである。
【０００７】
本発明の他の目的は、素早く留める、または取り外すことができる照明モジュールを提供することである。
【０００８】
本発明のさらに他の目的は、多数の異なる機械インターフェイスを使用してハードウェア・フレームに機械的に固定することができる照明モジュールを提供することである。
【課題を解決するための手段】
【０００９】
本発明は、１つまたは複数の照明モジュールが固定されるディスプレイ・パネルからなるディスプレイ素子に関するものであり、前記ディスプレイ素子は、さらに、前記照明モジュールを前記ディスプレイ・パネルに固定するための機械式取り付けインターフェイスを備える。
【００１０】
特に、本発明は、ＬＥＤ、ＯＬＥＤ、またはその他の放射モジュール式大規模ディスプレイの迅速な取り付け、保守、および分解を行う交換可能取り付けメカニズムに関するものである。
【００１１】
本発明は、さらに、前記ディスプレイ素子で使用するため照明モジュールをディスプレイ・パネルに固定する機械式取り付けインターフェイスに関するものである。
【００１２】
本発明の特長を分かりやすく説明するために、いかなる形でも限定することなく、付属の図面を参照しつつ、照明ディスプレイ・モジュール用の本発明による機械式取り付けインターフェイスの以下の好ましい実施形態を実施例としてのみ説明する。
【発明を実施するための最良の形態】
【００１３】
図１Ａは、照明モジュールの実施例１００の左斜視図である。照明モジュール１００は、放射照明素子１１０の８×１１アレイを含むが、８×１１アレイに限定されることはなく、放射照明素子は、任意のモジュール・サイズで形成された任意のアレイ・サイズのものを用意できる。照明モジュール１００は、高さ８４ミリメートル（ｍｍ）×幅１１２ｍｍ×奥行き５０ｍｍほどであるが、それらの寸法に限定されない。照明モジュール１００は、大規模モジュール式ディスプレイ用に設計されている。
【００１４】
図１Ｂは、照明モジュール１００の後部右斜視図である。
【００１５】
図２は、ディスプレイ・パネル・システムの実施例を示している。ディスプレイ・パネル・システム２００は、ディスプレイ・パネル・スロット２１０の１０×１５アレイで形成されるが、１０×１５アレイ・サイズに限定されない。照明モジュール１００を、望むとおりにディスプレイ・パネル・スロット２１０内に配置する。
【００１６】
ディスプレイ・パネル・システム２００は、大規模ディスプレイ（図に示されていない）を製作するために、任意の個数の他のディスプレイ・パネル２００の近くに配置するように設計される。
【００１７】
図３は、照明モジュール１００、ディスプレイ・パネル・スロット２１０、ボルト３２０、および穴３３０を備えるボルト固定取り付けシステム３００の実施例を示している。
【００１８】
照明モジュール１００は、ディスプレイ・パネル・スロット２１０内にはまるが、これをネジ穴３１０にねじ込まれるボルト３２０で留める。図３に示されているように、ボルト固定システム３００は、４本のボルト３２０と４つの穴３３０に限定されず、任意の個数のボルトおよび穴を含むことができる。
【００１９】
照明モジュール１００は、ユーザがボルト３２０を外すことによりディスプレイ・パネル・スロット２１０から外れる。ボルト固定システム３００は、一時的な素早く組み立てられる機械インターフェイスを示している以下の実施例と比較して、ディスプレイ・パネル２１０を固定するより永続的な照明モジュール１００となっている。
【００２０】
図４Ａは、照明モジュール１００をディスプレイ・パネル４４０に固定するためのシステムを例示しており、このシステムは、この場合、標準はめ込み取り付けシステム４００の実施例であり、照明モジュール１００とはめ込みラッチ４２０、ボルト３２０、およびドウェル４３０で形成される標準はめ込み取り付け装置４１０などの機械式取り付けインターフェイスを備える。
【００２１】
図４Ｂは、照明モジュール１００、標準はめ込み取り付け装置４１０、およびドウェル穴４５０付きの前記ディスプレイ・パネル・スロット４４０からなる前記標準はめ込み取り付けシステム４００の実施例を示している。
【００２２】
標準はめ込み取り付け装置４１０は、図４Ａおよび４Ｂに示されているように、ボルト３２０およびドウェル４３０により照明モジュール１００に接続される。
【００２３】
図４Ｃに表されているように、前記ラッチ４２０は、それらの後ろにカチリとはめ込むことにより前記スロット４４０の内側エッジと連携できる。
【００２４】
照明モジュール１００は、ユーザが両方のはめ込みラッチ４２０を互いの方向に水平に圧迫し、それによってディスプレイ・パネル・スロット４４０の留めを外し、照明モジュール１００を取り外せるようにして、前記ディスプレイ・パネル・スロット４４０から外すことができる。
【００２５】
図５Ａは、正面アクセスはめ込み取り付けシステム５００の実施例の後斜視図を示しているが、前記標準はめ込み取り付け装置４１０のラッチ４２０は照明モジュール５１０の一端にちょうつがいで留められ、前記ちょうつがいで留められている端から突き出ているリムを備え、前記照明モジュール５１０は、この場合、前記リムの前のところにネジ穴５３０を備える。
【００２６】
図５Ｂは、正面アクセスはめ込み取り付けシステム５００の側面図を示しており、ちょうボルト５２０は、前記ラッチ４２０のリムにアクセスするために使用される。
【００２７】
図５Ｃは、正面アクセスはめ込み取り付けシステム５００の断面図を示している。
【００２８】
図５Ｄは、正面アクセスはめ込み取り付けシステム５００の正面斜視図を示している。
【００２９】
作動中、図５Ａに例示されているように、標準はめ込み取り付け装置４１０は照明モジュール５１０とともに、ディスプレイ・パネル・スロット４４０に接続される。
【００３０】
標準はめ込み取り付け装置４１０を照明モジュール５１０ごとディスプレイ・パネル・スロット４４０から外すために、例えば、ネジ穴５３０にねじ込まれているちょうボルト５２０を使用することができ、それによって、図５Ｃに例示されているように、これらのボルトで両方のはめ込みラッチ４２０が外れる。
【００３１】
図６Ａは、単一レバー取り付けシステム６００の実施例の左斜視図であるが、前記機械式取り付けインターフェイスは、照明モジュール１００に取り付けられた単一レバー取り付け装置６１０からなり、単一レバー取り付け装置は、単一レバー６２０および単一レバー・ラッチ６３０を備え、前記レバー６２０は、前記照明モジュール１００にちょうつがいで留められている。
【００３２】
図６Ｂは、単一レバー取り付けシステムの実施例６００の右斜視図である。
【００３３】
図６Ｃは、前記ラッチ６３０のリムと連携する爪６４０を備える、図６Ｂの細部Ａを例示している。
【００３４】
図６Ｄは、単一レバー取り付け装置６１０がディスプレイ・パネル・スロット４４０に取り付けられている照明モジュール１００の左斜視図を例示している。
【００３５】
図６Ｅは、単一レバー６２０を備える単一レバー取り付けシステムの実施例６００の側面斜視図である。
【００３６】
図６Ｆは、単一レバー取り付け装置６１０がディスプレイ・パネル・スロット４４０に取り付けられている単一レバー取り付けシステム６００の左斜視図を例示している。
【００３７】
作動中、単一レバー取り付け装置６１０を備える照明モジュール１００は、図６Ｄおよび６Ｆに示されているように、ディスプレイ・パネル・スロット４４０に取り付けられる。照明モジュール１００および単一レバー取り付け装置６１０をディスプレイ・パネル・スロット４４０から外すには、図６Ｃおよび６Ｅに示されているように、ユーザが単一レバー６２０を引き上げて、爪６４０を外し、単一レバー・ラッチ６３０を外す。
【００３８】
図７Ａは、ディスプレイ・パネル・スロット４４０、単一レバー取り付け装置６１０、単一レバー・ラッチ６３０、照明モジュール７１０、および例えば、ちょうボルト７２０を備える正面アクセス単一レバー取り付け装置７００の実施例の後左斜視図を例示する。
【００３９】
図７Ｂは、単一レバー６２０を開くちょうボルト７２０を備える、正面アクセス取り付けシステム７００の単一レバー６２０の後左斜視図を例示している。
【００４０】
図７Ｃは、ちょうボルト７２０を備える、正面アクセス取り付けシステム７００の単一レバー６２０の前左斜視図を例示している。
【００４１】
照明モジュール７１０は、穴がちょうボルト７２０用に開けられている照明モジュール１００である。作動中、図７Ａに例示されているように、単一レバー取り付け装置６１０は照明モジュール７１０とともに、ディスプレイ・パネル・スロット４４０に接続される。単一レバー取り付け装置６１０を照明モジュール７１０ごとディスプレイ・パネル・スロット４４０から外すために、図７Ｂおよび７Ｃに例示されているように、ちょうボルト７２０をネジ穴７３０にねじ込み、そのボルトで単一レバー６２０を開き、単一レバー・ラッチ６３０を開かせる。
【００４２】
図８Ａは、照明モジュール１００、ディスプレイ・パネル・スロット８１０、ドウェル穴４５０、および機械式取り付けインターフェイスを備える押して閉じ、押して開く取り付けシステム８００の実施例を例示している。
【００４３】
前記取り付けインターフェイスは、押して閉じ、押して開く取り付け装置８２０であり、押して閉じ、押して開くラッチ８３０、ドウェル４３０、スプリング８４０、およびレバー８５０で形成される。
【００４４】
この場合、前記ラッチ８３０は、内側に向けて照明モジュール１００の方に曲げられるため、２つの対応するラッチ８３０のちょうつがいで留められている端と端の間の距離Ａは、スロット８１０の２つの対応する内側エッジの間の距離Ｂよりも大きいことに注意されたい。
【００４５】
図８Ｂは、ディスプレイ・パネル・スロット８１０および２つの押して閉じ、押して開くラッチ８３０を持つ、閉じた状態の押して閉じ、押して開く取り付け装置８００の側面断面図を例示している。
【００４６】
図８Ｃは、ディスプレイ・パネル・スロット８１０および押して閉じ、押して開くラッチ８３０を持つ、開いた状態の押して閉じ、押して開く取り付け装置８００の側面断面図を例示している。
【００４７】
図８Ｄは、押して閉じ、押して開く取り付け装置８２０およびレバー８５０があるモードで延ばされ、押して閉じ、押して開くラッチ８３０を外す、押して閉じ、押して開く取り付けシステム８００を例示している。
【００４８】
図８Ｅは、ディスプレイ・パネル・スロット８１０、レバー８５０、および照明モジュール１００を備える、閉じた状態の押して閉じ、押して開く取り付けシステム８００を例示している。
【００４９】
作動中、図８Ａに例示されているように、押して閉じ、押して開く取り付け装置８２０は照明モジュール１００とともに、ディスプレイ・パネル・スロット８１０に接続される。
【００５０】
押して閉じる、押して開く取り付け装置８２０を照明モジュール１００ごとディスプレイ・パネル・スロット８１０から外すために、図８Ｃに例示されているように、ユーザは照明モジュール１００をディスプレイ・パネル・スロット８１０の方へ押すが、それによって、ラッチは、前記ラッチ８３０の自由端が前記レバー８５０と連携するまで照明モジュール１００の方へ押され、それによりちょうつがい位置を保持する。
【００５１】
照明モジュールを取り外した後、ユーザはレバー８５０を引いて、押して閉じ、押して開くラッチを、図８Ｄに例示されているように、ディスプレイ・パネル・スロット８１０内への取り付けを可能にする位置に戻す。
【００５２】
図９Ａは、裏板取り付け装置９１０、ピン９２０、および針状ボルト９２５を含む照明モジュール１００を備えるピン取り付けシステム９００の実施例を示す。裏板取り付け装置９１０を形成するための材料例としては、織物、布、プラスチック、または金属がある。
【００５３】
裏板取り付け装置９１０は、実施例であり、４本のピン９２０および４本の針状ボルト９２５に限定されないが、しかし、裏板取り付け装置９１０には、ピンおよび針状ボルトは好きなだけあってよい。
【００５４】
図９Ｂは、図９Ａの細部Ｂを例示しており、裏板取り付け装置９１０に固定されたピン９２０を示している。
【００５５】
作動中、裏板取り付け装置９１０は、図９Ａおよび９Ｂに例示されているように針状ボルト９２５と接触するピン９２０を備える照明モジュール１００に固定される。外すために、ピン９２０は裏板取り付け装置９１０から取り外され、照明モジュール１００は、外されるようにできる。
【００５６】
図１０は、照明モジュール１００、裏板取り付け装置９１０、および磁石１０２０とネジ１０３０からなる機械式取り付けインターフェイス１０１０を備える磁石式取り付けシステム１０００の実施例を示している。この実施例では、裏板取り付け装置９１０は金属で形成されている。磁石式取り付けシステム１０００は、実施例であり、４個の磁石１０２０および４本のネジ１０３０に限定されず、望む磁石とネジをいくつでも使用できる。
【００５７】
作動中、照明モジュール１００は、図１０に例示されているように、汎用モジュール機械インターフェイス取り付け装置１０１０により形成される、前記機械式取り付けインターフェイスを備える。
【００５８】
その後、照明モジュール１００を備える汎用モジュール機械インターフェイス取り付け装置１０１０は、図１０に例示されているように、金属製裏板取り付け装置９１０に磁石で固定される。
【００５９】
照明モジュール１００を金属製裏板取り付け装置９１０から外すために、汎用モジュール機械インターフェイス取り付け装置１０１０は照明モジュール１００とともに、裏板取り付け装置９１０から取り外される。
【００６０】
図１１Ａは、汎用モジュール機械インターフェイス取り付け装置１０１０およびマジックテープ（登録商標）１１１０を備える裏板取り付け装置９１０からなる機械式取り付けインターフェイスを備えるマジックテープ（登録商標）取り付けシステム１１００の実施例を例示している。
【００６１】
図１１Ｂは、相補的マジックテープ（登録商標）１１２０およびネジ１０３０を含むマジックテープ（登録商標）取り付けシステム１１００の後面斜視図を例示している。汎用モジュール機械インターフェイス取り付け装置１０１０およびマジックテープ（登録商標）１１１０は、実施例であり、２枚のマジックテープ（登録商標）１１２０および４本のネジ１０３０に限定されず、任意の数の望むマジックテープ（登録商標）およびネジを使用できる。
【００６２】
作動中、２枚のマジックテープ（登録商標）１１１０は、図１１Ａに例示されているように、裏板取り付け装置９１０に固定される。
【００６３】
照明モジュール１００は、図１１Ｂに例示されているように、汎用モジュール機械インターフェイス取り付け装置１０１０に固定される。２枚のマジックテープ（登録商標）１１２０は、図１１Ｂに例示されているように、汎用モジュール機械インターフェイス取り付け装置１０１０に固定される。
【００６４】
その後、照明モジュール１００を備える汎用モジュール機械インターフェイス取り付け装置１０１０は、図１１Ａおよび１１Ｂに例示されているように、裏板取り付け装置９１０にマジックテープ（登録商標）１１１０と１１２０で固定される。
【００６５】
照明モジュール１００を裏板取り付け装置９１０から外すために、汎用モジュール機械インターフェイス取り付け装置１０１０は照明モジュール１００とともに、裏板取り付け装置９１０から取り外される。
【００６６】
図１２は、吸着カップ取り付けシステム１２００の実施例を例示しており、そこでは、機械式取り付けインターフェイスは、裏板取り付け装置９１０、および吸着カップ１２２０とネジ１０３０とを含む汎用モジュール機械インターフェイス取り付け装置１０１０を備える。
【００６７】
吸着カップ取り付けシステム１２００は、実施例であり、４個の吸着カップ１２２０および４本のネジ１０３０に限定されず、吸着カップ取り付けシステム１２００の実施例は、望む磁石とネジをいくつでも使用できる。
【００６８】
作動中、照明モジュール１００は、汎用モジュール機械インターフェイス取り付け装置１０１０に固定される。その後、照明モジュール１００を備える汎用モジュール機械インターフェイス取り付け装置１０１０は、図１２に例示されているように、裏板取り付け装置９１０に吸着カップ１２２０で固定される。照明モジュール１００を裏板取り付け装置９１０から外すために、汎用モジュール機械インターフェイス取り付け装置１０１０は照明モジュール１００とともに、裏板取り付け装置９１０から取り外される。
【００６９】
図１３Ａは、照明モジュール１３１０およびスライド・レール１３２０を備える標準スライド・レール取り付けシステム１３００の実施例の前左斜視図を例示している。
【００７０】
前記スライド・レール１３２０はＵ字型断面を有し、２つの向かい合うリムは前記レール１３２０の両脚の自由端上に備えられる。
【００７１】
図１３Ｂは、２つの溝１３３０を含む機械式取り付けインターフェイスを備える照明モジュール１３１０の後左斜視図を例示している。
【００７２】
照明モジュール１３１０は、図１３Ｂに例示されているように、側面に２つの溝１３３０がある照明モジュール１００である。
【００７３】
作動中、図１３Ａに例示されているように、照明モジュール１３１０は、スライド・レール１３２０上でスライドする。照明モジュール１３１０をスライド・レール１３２０から外すには、機械インターフェイス取り付け装置１０１０を照明モジュール１００ごと、スライド・レール１３２０から取り外す。スライド・レール１３２０は、所望の数の照明モジュール１３１０に応じられる長さであればどのような長さのものでもよい。
【００７４】
図１４Ａは、開いている状態のレール・マウント取り付けシステム１４００の実施例を示している。レール・マウント取り付けシステム１４００は、標準スライド・レール取り付けシステム１３００の他の実施形態である。レール・マウント取り付けシステム１４００は、スライド・レール１３２０、溝１３３０、および引き込み式ラッチ１４２０を備える照明モジュール１４１０を含む。照明モジュール１４１０は、図１３Ｂに例示されているように、側面に２つの溝１３３０がある照明モジュール１００である。
【００７５】
図１４Ｂは、スライド・レール１３２０および照明モジュール１４１０を備える閉じた状態のレール・マウント取り付けシステム１４００を例示する。
【００７６】
作動中、照明モジュール１４１０は、スライド・レール１３２０内に配置され、そこでは、照明モジュール１４１０がスライド・レール１３２０内に配置されるように引き込み式ラッチ１４２０が引き込む。その後、引き込み式ラッチ１４２０が延びて、図１４Ａに例示されているように、照明モジュール１４１０をスライド・レール１３２０内に固定する。照明モジュール１４１０をスライド・レール１３２０から外すために、図１４Ｂに例示されているように、ユーザは引き込み式ラッチ１４２０を引っ込めて、照明モジュール１４１０をスライド・レール１３２０から外すことができる。スライド・レール１３２０は、所望の数の照明モジュール１４１０に応じられる長さであればどのような長さのものでもよい。
【００７７】
図１５Ａに例示されているように、上述のディスプレイ・パネルは、針金、棒、またはケーブルで形成することができ、それよって、機械式取り付けインターフェイスは、溝１５３０、取り付け用金具１５２０、および取り付け用金具のスプリング１５３０を含む取り付け用金具取り付けシステム１５００からなる。
【００７８】
図１５Ｂは、照明モジュール１５１０、取り付け用金具１５２０、および鋼線１５４０を備える開いている状態の鋼線および取り付け用金具取り付けシステム１５００を例示している。
【００７９】
図１５Ｃは、照明モジュール１５１０、取り付け用金具１５２０、および鋼線１５４０を備える閉じた状態の鋼線および取り付け用金具取り付けシステム１５００を例示している。
【００８０】
作動中、図１５Ｂおよび１５Ｃに例示されているように、取り付け用金具１５２０を鋼線１５４０上へ閉ざし取り付け用金具１５２０を回すことにより照明モジュール１５１０を鋼線に取り付ける。照明モジュール１５１０を鋼線１５４０から外すために、図１５Ｂに例示されているように、取り付け用金具１５２０を回すと、照明モジュール１５１０を鋼線１５４０から外すことができる。鋼線１５４０は、所望の数の照明モジュール１５１０に応じられる長さであればどのような長さのものでもよい。
【００８１】
図１６は、棒取り付けシステム１６００とも呼ばれる、棒１６２０の形状のディスプレイ・パネルを例示している。
【００８２】
この場合、照明モジュール１６１０を前記棒１６２０に固定する機械式取り付けインターフェイスは、スループット・ホール１６３０からなる。
【００８３】
照明モジュール１６１０は、前記スループット・ホール１６３０を備える照明モジュール１００とすることができる。
【００８４】
作動中、図１６に例示されているように、鋼棒１６２０は、照明モジュール１６１０の前記穴１６３０の中にスライドして入る。鋼棒１６２０から照明モジュール１６１０を外すには、図１６に示されているように、鋼棒１６２０を照明モジュール１６１０から取り外す。鋼棒１６２０は、所望の数の照明モジュール１６１０に応じられる長さであればどのような長さのものでもよい。
【００８５】
他の実施形態では、鋼棒１６２０は円柱形状またはその他の形状とすることができ、同様に、スループット・ホール１６３０は、相補的形状である。
【００８６】
結論として、本発明は、ディスプレイ素子とともに放射照明モジュール１００をディスプレイ・パネル・スロット２１０に固定して、前記ディスプレイ素子を製作するための多数の機械インターフェイスに関係するという主張を繰り返す。
【００８７】
したがって、製造および部品コストは、大規模ディスプレイの生産では最小限に抑えられる。ディスプレイ・パネル・システム２００は、大規模ディスプレイ（図に示されていない）を製作するために、任意の個数の他のディスプレイ・パネル２００の近くに配置するように設計される。
【００８８】
機械インターフェイスは、ボルト固定取り付けシステム３００、標準はめ込み取り付けシステム４００、正面アクセスはめ込み取り付けシステム５００、単一レバー取り付けシステム６００、正面アクセス単一レバー取り付けシステム７００、押して閉じ、押して開く取り付けシステム８００、ピン取り付けシステム９００、磁石式取り付けシステム１０００、マジックテープ（登録商標）取り付けシステム１１００、吸着カップ取り付けシステム１２００、標準スライド・レール取り付けシステム１３００、レール・マウント取り付けシステム１４００、鋼線および取り付け用金具取り付けシステム１５００、および棒鋼取り付けシステム１６００を備える。
【００８９】
したがって、素早く固定または取り外しできる照明モジュールが実現される。ディスプレイ・パネル・システム２００は、ただ１つの種類の機械インターフェイス取り付け装置で形成することができるか、または複数の機械インターフェイスの任意の数の組み合わせで形成することができる。したがって、多数の異なる機械インターフェイスを使用してハードウェア・フレームに機械的に固定することができる照明モジュールが提供される。
【００９０】
本発明は、上で説明され、付属の図で表されている実施形態に決して限定されず、それどころか、本発明によるディスプレイ素子および機械式取り付けインターフェイスは、本発明の範囲内にありながら、さまざまな変更形態に従って製作することができる。
【図面の簡単な説明】
【００９１】
【図１Ａ】放射照明モジュールを例示する図である。
【図１Ｂ】放射照明モジュールを例示する図である。
【図２】ディスプレイ・パネル・システムを例示する図である。
【図３】ボルト固定取り付けシステムを例示する図である。
【図４Ａ】標準はめ込み取り付け装置を例示する図である。
【図４Ｂ】標準はめ込み取り付け装置を例示する図である。
【図４Ｃ】標準はめ込み取り付け装置を例示する図である。
【図５Ａ】正面アクセスはめ込み取り付け装置を例示する図である。
【図５Ｂ】正面アクセスはめ込み取り付け装置を例示する図である。
【図５Ｃ】正面アクセスはめ込み取り付け装置を例示する図である。
【図５Ｄ】正面アクセスはめ込み取り付け装置を例示する図である。
【図６Ａ】単一レバー取り付け装置を例示する図である。
【図６Ｂ】単一レバー取り付け装置を例示する図である。
【図６Ｃ】単一レバー取り付け装置を例示する図である。
【図６Ｄ】単一レバー取り付け装置を例示する図である。
【図６Ｅ】単一レバー取り付け装置を例示する図である。
【図６Ｆ】単一レバー取り付け装置を例示する図である。
【図７Ａ】正面アクセス単一レバー取り付けシステムを例示する図である。
【図７Ｂ】正面アクセス単一レバー取り付けシステムを例示する図である。
【図７Ｃ】正面アクセス単一レバー取り付けシステムを例示する図である。
【図８Ａ】押して閉じ、押して開く取り付けシステムを例示する図である。
【図８Ｂ】押して閉じ、押して開く取り付けシステムを例示する図である。
【図８Ｃ】押して閉じ、押して開く取り付けシステムを例示する図である。
【図８Ｄ】押して閉じ、押して開く取り付けシステムを例示する図である。
【図８Ｅ】押して閉じ、押して開く取り付けシステムを例示する図である。
【図９Ａ】ピン取り付けシステムを例示する図である。
【図９Ｂ】ピン取り付けシステムを例示する図である。
【図１０】磁石式取り付けシステムを例示する図である。
【図１１Ａ】マジックテープ（登録商標）取り付けシステムを例示する図である。
【図１１Ｂ】マジックテープ（登録商標）取り付けシステムを例示する図である。
【図１２】吸着カップ取り付けシステムを例示する図である。
【図１３Ａ】スライド・レール取り付けシステムを例示する図である。
【図１３Ｂ】スライド・レール取り付けシステムを例示する図である。
【図１４Ａ】レール・マウント取り付けシステムを例示する図である。
【図１４Ｂ】レール・マウント取り付けシステムを例示する図である。
【図１５Ａ】鋼線および取り付け用金具取り付けシステムを例示する図である。
【図１５Ｂ】鋼線および取り付け用金具取り付けシステムを例示する図である。
【図１５Ｃ】鋼線および取り付け用金具取り付けシステムを例示する図である。
【図１６】棒鋼取り付けシステムを例示する図である。
【符号の説明】
【００９２】
１００  照明モジュール
２００  ディスプレイ・パネル・システム
２１０  ディスプレイ・パネル・スロット
３００  ボルト固定取り付けシステム
３２０  ボルト
３３０  穴
４００  標準はめ込み取り付けシステム
４１０  標準はめ込み取り付け装置
４２０  はめ込みラッチ
４３０  ドウェル
４４０  ディスプレイ・パネル・スロット
４５０  ドウェル穴
５００  正面アクセスはめ込み取り付けシステム
５１０  前記照明モジュール
５２０  ちょうボルト
５３０  ネジ穴
６００  単一レバー取り付けシステム
６１０  単一レバー取り付け装置
６２０  単一レバー
６３０  単一レバー・ラッチ
６４０  爪
７００  正面アクセス単一レバー取り付け装置
７１０  照明モジュール
７２０  ちょうボルト
８００  押して閉じ、押して開く取り付けシステム
８１０  ディスプレイ・パネル・スロット
８２０  押して閉じ、押して開く取り付け装置
８３０  押して閉じ、押して開くラッチ
８５０  レバー
９００  ピン取り付けシステム
９１０  裏板取り付け装置
９２０  ピン
９２５  針状ボルト
１０００  磁石式取り付けシステム
１０１０  機械式取り付けインターフェイス
１０２０  磁石
１０３０  ネジ
１１００  マジックテープ（登録商標）取り付けシステム
１１１０  マジックテープ（登録商標）
１１２０  相補的マジックテープ（登録商標）
１２００  吸着カップ取り付けシステム
１２２０  吸着カップ
１３００  標準スライド・レール取り付けシステム
１３１０  照明モジュール
１３２０  スライド・レール
１３３０  溝
１４００  レール・マウント取り付けシステム
１４１０  照明モジュール
１４２０  引き込み式ラッチ
１５００  取り付け用金具取り付けシステム
１５１０  照明モジュール
１５２０  取り付け用金具
１５３０  溝
１５３０  取り付け用金具のスプリング
１５４０  鋼線
１６００  棒取り付けシステム
１６２０  棒
１６３０  スループット・ホール
【図１Ａ】
2006106763.tif 000003
【図１Ｂ】
2006106763.tif 000004
【図２】
2006106763.tif 000005
【図３】
2006106763.tif 000006
【図４Ａ】
2006106763.tif 000007
【図４Ｂ】
2006106763.tif 000008
【図４Ｃ】
2006106763.tif 000009
【図５Ａ】
2006106763.tif 000010
【図５Ｂ】
2006106763.tif 000011
【図５Ｃ】
2006106763.tif 000012
【図５Ｄ】
2006106763.tif 000013
【図６Ａ】
2006106763.tif 000014
【図６Ｂ】
2006106763.tif 000015
【図６Ｃ】
2006106763.tif 000016
【図６Ｄ】
2006106763.tif 000017
【図６Ｅ】
2006106763.tif 000018
【図６Ｆ】
2006106763.tif 000019
【図７Ａ】
2006106763.tif 000020
【図７Ｂ】
2006106763.tif 000021
【図７Ｃ】
2006106763.tif 000022
【図８Ａ】
2006106763.tif 000023
【図８Ｂ】
2006106763.tif 000024
【図８Ｃ】
2006106763.tif 000025
【図８Ｄ】
2006106763.tif 000026
【図８Ｅ】
2006106763.tif 000027
【図９Ａ】
2006106763.tif 000028
【図９Ｂ】
2006106763.tif 000029
【図１０】
2006106763.tif 000030
【図１１Ａ】
2006106763.tif 000031
【図１１Ｂ】
2006106763.tif 000032
【図１２】
2006106763.tif 000033
【図１３Ａ】
2006106763.tif 000034
【図１３Ｂ】
2006106763.tif 000035
【図１４Ａ】
2006106763.tif 000036
【図１４Ｂ】
2006106763.tif 000037
【図１５Ａ】
2006106763.tif 000038
【図１５Ｂ】
2006106763.tif 000039
【図１５Ｃ】
2006106763.tif 000040
【図１６】
2006106763.tif 000041